【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
外部装置から転送された印刷データを記憶して、記憶された印刷データに基づく印刷を制御する印刷制御装置であって、
印刷データと、印刷データに対応する認証情報とを記憶する記憶手段と、
印刷データに基づく印刷をするために、認証情報をユーザに入力させるための入力手段と、
前記記憶手段に記憶されている認証情報と、前記入力手段により入力された認証情報とを照合して、入力された認証情報に対応する印刷データの一覧を表示部に表示させる表示制御手段と、
前記表示部に表示されている一覧の中から少なくとも一つの印刷データをユーザに選択させるための選択手段と、
前記選択手段により選択された印刷データに基づいて印刷を行なうための印刷料金が支払われたことが確認された後に、選択された印刷データに基づく印刷を実行する制御手段とを有することを特徴とする印刷制御装置。
【請求項２】
前記記憶手段が印刷データを記憶できなくなるのを検知して、優先順位の低い印刷ジョブを検索して破棄する破棄手段を有することを特徴とする請求項１に記載の印刷制御装置。
【請求項３】
前記優先順位の低い印刷データとは、受信された時刻が古い印刷データであることを特徴とする請求項２に記載の印刷制御装置。
【請求項４】
前記破棄手段により印刷データが破棄される場合、破棄される印刷データに対して設定された通知先に、印刷データが破棄されることを通知する通知手段を有することを特徴とする請求項２或いは３に記載の印刷制御装置。
【請求項５】
印刷データを受信してから所定期間が経過したかどうかを判断する判断手段と、
所定経過時間が経過したと判断された場合、受信してから所定期間が経過した印刷データを破棄する破棄手段を有することを特徴とする請求項１乃至４のいずれかに記載の印刷制御装置。
【請求項６】
外部装置から転送された印刷データと、印刷データに対応する認証情報とを記憶する情報処理装置と通信可能な印刷制御装置であって、
印刷データに基づく印刷をするために、認証情報をユーザに入力させるための入力手段と、
前記入力手段により入力された認証情報を前記情報処理装置に送信して、入力された認証情報に対応する印刷データを示す情報を前記情報処理装置から取得する取得手段と、
取得手段により取得された情報に従って、入力された認証情報に対応する印刷データの一覧を表示部に表示させる表示制御手段と、
前記表示部に表示されている一覧の中から少なくとも一つの印刷データをユーザに選択させるための選択手段と、
前記選択手段により選択された印刷データを前記情報処理装置に要求して、選択された印刷データを前記情報処理装置から取得するデータ取得手段と、
前記選択手段により選択された印刷データに基づいて印刷を行うための印刷料金が支払われたことが確認された後に、前記データ取得手段により取得された印刷データに基づく印刷を実行する制御手段とを有することを特徴とする印刷制御装置。
【請求項７】
前記データ取得手段は、前記選択手段により選択された印刷データに基づいて印刷を行うための印刷料金が支払われたことが確認された後に、選択された印刷データを前記情報処理装置に要求することを特徴とする請求項６に記載の印刷制御装置。
【請求項８】
前記取得手段は、入力された認証情報に対応する印刷データに対して付けられた名称を示す情報を取得することを特徴とする請求項６或いは７に記載の印刷制御装置。
【請求項９】
前記データ取得手段は、選択された印刷データを示す情報を前記情報処理装置に送信して、選択された印刷データを情報処理装置から受信することを特徴とする請求項６乃至８のいずれかに記載の印刷制御装置。
【請求項１０】
前記制御手段は、前記データ取得手段により取得された印刷データに基づく印刷が終了した後に、取得された印刷データを削除することを特徴とする請求項６乃至９のいずれかに記載の印刷制御装置。
【請求項１１】
外部装置から転送された印刷データと、印刷データに対応する認証情報とを記憶する記憶装置と印刷装置とを使ってプリントサービスを提供するためのデータ処理方法であって、
印刷データに基づく印刷をするためにユーザにより入力認証情報と、前記記憶装置に記憶されている認証情報とを照合して、入力された認証情報に対応する印刷データの一覧を表示部に表示し、
前記表示部に表示されている一覧の中からユーザにより選択された少なくとも一つの印刷データを認識し、
選択された印刷データに基づいて印刷を行うための印刷料金が支払われたことが確認された後に、選択された印刷データに基づく印刷を印刷装置に実行させることを特徴とするデータ処理方法。
【請求項１２】
外部装置から転送された印刷データと、印刷データに対応する認証情報とを記憶する情報処理装置と印刷装置とを使ってプリントサービスを提供するためのデータ処理方法であって、
印刷データに基づく印刷をするためにユーザにより入力された認証情報を前記情報処理装置に送信して、入力された認証情報に対応する印刷データを示す情報を前記情報処理装置から取得し、
取得された情報に従って、入力された認証情報に対応する印刷データの一覧を表示部に表示させ、
前記表示部に表示されている一覧の中からユーザにより選択された少なくとも一つの印刷データを前記情報処理装置に要求して、選択された印刷データを前記情報処理装置から取得し、
選択された印刷データに基づいて印刷を行うための印刷料金が支払われたことが確認された後に、取得された印刷データに基づく印刷を前記印刷装置に実行させることを特徴とするデータ処理方法。
【請求項１３】
外部装置から転送された印刷データを記憶して、記憶された印刷データに基づく印刷を制御するための制御プログラムであって、
印刷データと、印刷データに対応する認証情報とを記憶する記憶ステップと、
印刷データに基づく印刷をするために、認証情報をユーザに入力させるための入力ステップと、
前記記憶ステップに記憶されている認証情報と、前記入力ステップにより入力された認証情報とを照合して、入力された認証情報に対応する印刷データの一覧を表示部に表示させる表示制御ステップと、
前記表示部に表示されている一覧の中から少なくとも一つの印刷データをユーザに選択させるための選択ステップと、
前記選択ステップにより選択された印刷データに基づいて印刷を行なうための印刷料金が支払われたことが確認された後に、選択された印刷データに基づく印刷を実行する制御ステップとをコンピュータに実行させることを特徴とする制御プログラム。
【請求項１４】
外部装置から転送された印刷データと、印刷データに対応する認証情報とを記憶する情報処理装置と通信して、印刷データに基づく印刷を制御するための制御プログラムであって、
印刷データに基づく印刷をするために、認証情報をユーザに入力させるための入力ステップと、
前記入力ステップにより入力された認証情報を前記情報処理装置に送信して、入力された認証情報に対応する印刷データを示す情報を前記情報処理装置から取得する取得ステップと、
取得ステップにより取得された情報に従って、入力された認証情報に対応する印刷データの一覧を表示部に表示させる表示制御ステップと、
前記表示部に表示されている一覧の中から少なくとも一つの印刷データをユーザに選択させるための選択ステップと、
前記選択ステップにより選択された印刷データを前記情報処理装置に要求して、選択された印刷データを前記情報処理装置から取得するデータ取得ステップと、
前記選択ステップにより選択された印刷データに基づいて印刷を行うための印刷料金が支払われたことが確認された後に、前記データ取得ステップにより取得された印刷データに基づく印刷を実行する制御ステップとをコンピュータに実行させることを特徴とする制御プログラム。